(57)【要約】  呼の処理方法、サービス制御装置および呼の処理システムを開示する。要点は以下の通り。着呼番号と管理番号との間の対応関係を前もって定め、発呼者からの着呼番号への呼要求情報を受信した後、発呼者のサービスを認証し、認証後に管理番号を使用して着呼番号への呼を開始する。着呼端末がこの管理番号を確認し、確認後、着呼端末が発呼者との通信を設定する。このようにして、発呼者が認証を経ないで着呼番号へ直接発呼することを防止し、サービスの安全を改善する。
2010511311.tif 000002
【特許請求の範囲】
【請求項１】
呼の処理方法であって、
発呼者からの着呼番号を含む呼要求を受信するステップと、
前記発呼者を認証するステップと、
前記発呼者の認証がパスした後に、前記着呼番号との間に事前設定された対応関係にしたがって前記着呼番号に対応する管理番号を入手するステップと、
前記管理番号を用いて前記着呼番号への呼を開始するステップと、
を含む呼の処理方法。
【請求項２】
前記呼要求が、マルチメディアテレビ電話の呼要求であることを特徴とする請求項１に記載の方法。
【請求項３】
前記認証が、前記発呼者の個人認証とサービス認証とからなり、前記発呼者の個人認証とサービス認証とを実行する前記プロセスが、
初めに前記発呼者の個人認証を行い、個人認証をパスしたのちに、次いで前記発呼者のサービス認証を行うステップ、もしくは、
前記発呼者の個人認証とサービス認証とを同時に実行するステップ、
のいずれかを備えることを特徴とする請求項１又は２に記載の方法。
【請求項４】
前記管理番号のついた前記呼を受信すると直ちに、前記着呼番号の所属する端末により前記管理番号を確認するステップと、確認がパスした後に前記発呼者との通信を設定するステップと、をさらに含むことを特徴とする請求項１に記載の方法。
【請求項５】
サービス制御装置であって、
着呼番号と管理番号との間の対応関係データを格納するためのデータストレージユニットと、
発呼者からの前記着呼番号を含む呼要求を受信し、前記発呼者のサービス認証を行うためのサービス認証ユニットと、
前記発呼者がサービス認証をパスした後、前記着呼番号に対応する管理番号をデータストレージユニットに照会するための管理番号照会ユニットと、
前記管理番号を用いて前記着呼番号への呼を開始するための呼開始ユニットと、
を含むサービス制御装置。
【請求項６】
サービス認証の前に前記発呼者の個人認証を行うための個人認証ユニットをさらに含むことを特徴とする請求項５に記載のサービス制御装置。
【請求項７】
前記サービス制御装置が、サービスコントロールポイントもしくはオープンサービスゲートウェイであることを特徴とする請求項５又は６に記載のサービス制御装置。
【請求項８】
呼処理システムであって、
発呼者からの着呼番号を含む呼要求を受信し、前記発呼者を認証し、前記発呼者が認証された後に前記着呼番号と前記管理番号との間の事前設定された対応関係にしたがって前記着呼番号に対応する管理番号を取得し、前記管理番号を用いて前記着呼番号への呼を開始するためのサービス制御装置と、
前記管理番号を確認し、確認にパスした後に前記発呼者との通信を設定するための着呼端末と、
を含む呼処理システム。
【請求項９】
前記サービス制御装置が、
前記着呼番号と前記管理番号との間の前記対応関係データを格納するためのデータストレージユニットと、
前記発呼者からの前記着呼番号を含む前記呼要求を受信し、前記発呼者のサービス認証を行うためのサービス認証ユニットと、
前記発呼者がサービス認証をパスした後、前記着呼番号に対応する前記管理番号を前記データストレージユニットに照会するための管理番号照会ユニットと、
前記管理番号を用いて前記着呼番号への呼を開始するための呼開始ユニットと、
を含むことを特徴とする請求項８に記載の呼処理システム。
【請求項１０】
前記サービス制御装置が、サービス認証の前に前記発呼者の個人認証を行うための個人認証ユニットをさらに含むことを特徴とする請求項９に記載の呼処理システム。
【請求項１１】
前記サービス制御装置がサービス制御ポイントであるか、もしくは前記サービス制御装置がオープンサービスゲートウェイかつアプリケーションサーバであることを特徴とする請求項８に記載の呼処理システム。
【発明の詳細な説明】
【技術分野】
【０００１】
本発明は呼処理技術に関し、特に呼処理方法、サービス制御装置、および呼処理システムに関する。
【背景技術】
【０００２】
通信ネットワークの発展に伴い、通信ネットワークを介して大量の映像サービスを提供することは必然の趨勢となってきており、即時で生の情報のやり取りが人々の生活を変えつつある。通信の内容及び形式に関する要求は日増しに高くなってきており、旧来の単一かつ単調な音声通信方式ではもはや人の満足は得られない。生のテレビ電話サービスがまさに望まれている。
【０００３】
携帯テレビ電話は、移動通信領域における生でかつ大量のマルチメディアの映像電話を提供し、３Ｇの“キラーアプリケーション”と目されている。そして携帯テレビ電話サービスが３Ｇ展開の主要な駆動力となっている。第３世代パートナーシッププロジェクト３ＧＰＰのＲ９９およびそれ以降のバージョンが、回線方式に基づく映像電話サービス、すなわち、Ｈ３２４プロトコルの第３世代モバイルネットワーク版である、第３世代−Ｈ３２４モバイル：３Ｇ−３２４Ｍ、を定義している。目下の処、３ＧＰＰは回線方式に基づいてテレビ電話サービスを定義している。
【０００４】
図１を参照すると、既存の移動通信ネットワークの概略図が示されている。３ＧＰＰの定義によると、以下のような基本的な流れに沿ってユーザが同一オフィス内の別のユーザへの呼を開始する。
【０００５】
（１）発呼ユーザの設備１０１が、移動交換局ＭＳＣ１０７に呼要求を開始する。
【０００６】
（２）ネットワークへの端末のアクセス可否をチェックするために、ＭＳＣ１０７が認証プロセスを開始する。このプロセスでは、ＭＳＣがホームロケーションレジスタＨＬＲ１０８から認証セットを取得する。ネットワークへのアクセス許可に関する個人認証がパスするとフローは次へ進み、パスしない場合は呼が終了する。
【０００７】
（３）個人認証にパスし、サービス要求受理メッセージを受信した後、発呼ユーザの設備１０１が呼設定メッセージをＭＳＣ１０７へ送信する。呼設定メッセージを受信すると、ＭＳＣ１０７は呼処理メッセージを発呼者へ戻す。
【０００８】
（４）発呼側の設備として無線ネットワーク制御装置ＲＮＣ１０３、メディアゲートウェイＭＧＷ１０５、およびＭＳＣ１０７がアクセス側のベアラ（ｂｅａｒｅｒ）リソースの設定を開始する。ＭＳＣ１０７がＨＬＲ１０８にルーティング情報を照会し、ＨＬＲ１０８がビジターロケーションレジスタＶＬＲ１０６からローミング番号を取得し、呼データを取得後、ＭＳＣ１０７がＶＬＲ１０６を始動して発呼番号による被呼者への呼出プロセスを開始する。
【０００９】
（５）被呼者からの呼出応答メッセージを受けると、ＭＳＣ１０７が、着呼側の無線ネットワーク制御装置ＲＮＣ１０４を介して着呼ユーザ設備１０２へ呼設定メッセージを送信する。
【００１０】
（６）ＭＳＣ１０７は被呼者が電話機を取るのを待ち、電話機が取られるのと同時に発呼ユーザの設備１０１へ開通メッセージを送信する。
【００１１】
（７）発呼ユーザ設備１０１は、着呼ユーザ設備１０２との映像接続を設定する。
【発明の概要】
【発明が解決しようとする課題】
【００１２】
相手の映像と音声が直接得られるテレビ電話サービスに要求されるのは、着呼ユーザに係わるプライバシおよび情報の安全が確保されることである。上述の呼の流れからわかるように、発呼者の個人認証がパスした後でも、後続の呼の流れはいまだに発呼番号によって進められる。そして、サービス認証が得られていない発呼番号が着呼用の実際の番号を取得し、その結果着呼番号を直接呼び出すことができるという抜け穴が存在しうる。この抜け穴によって、着呼者情報の安全に係わる隠された危険性が生じる。
【００１３】
本発明の実施形態によれば、管理番号で被呼者への呼を開始でき、サービスの安全向上が図れる、呼の処理方法、サービス制御装置、および呼の処理システムが提供される。
【課題を解決するための手段】
【００１４】
上記を考慮して、本発明は以下の技術手法により実現される。
【００１５】
呼の処理方法が、発呼者からの着呼番号を含む呼要求を受信するステップと、発呼者を認証するステップと、発呼者が認証をパスした後に着呼番号と管理番号との間の事前設定された対応関係にしたがって着呼番号に対応する管理番号を取得するステップと、管理番号を用いて着呼番号への通話を開始するステップと、を含む。
【００１６】
サービス制御装置が、着呼番号と管理番号との間の対応関係データを格納するためのデータストレージユニットと、発呼者からの着呼番号を含む呼要求を受信し、発呼者のサービス認証を行うためのサービス認証ユニットと、発呼者がサービス認証をパスした後、着呼番号に対応する管理番号をデータストレージに照会するための管理番号照会ユニットと、管理番号を用いて着呼番号への呼を開始するための呼開始ユニットと、を含む。
【００１７】
呼処理システムが、発呼者からの着呼番号を含む呼要求を受信し、発呼者を認証し、発呼者が認証された後に着呼番号と管理番号との間に事前設定された対応関係にしたがって着呼番号に対応する管理番号を取得し、管理番号を用いて着呼番号への呼を開始するためのサービス制御装置と、管理番号を確認し、確認終了後に発呼者との通信を設定するための着呼端末と、を含む。
【００１８】
本発明における上記の技術手法によれば、着呼番号と管理番号との対応関係が事前設定されているので、発呼者による着呼番号への呼要求に関する情報を受信すると直ちに、発呼者のサービス認証が行われ、認証をパスすると、管理番号を用いて着呼番号への呼が開始され、着呼番号が所属する端末が管理番号を確認し、確認終了後に発呼者との通信を設定する。着呼端末は、管理番号から送られる呼情報を受信し、呼情報を受信するとすぐに受信した管理番号を確認するだけであるから、承認手続きなしに発呼者が着呼番号へ直接発呼することを防止し、着呼ユーザのプライバシ情報を保護し、サービスの安全を向上することが可能である。
【図面の簡単な説明】
【００１９】
【図１】既存の移動通信ネットワークの概略図である。
【図２】本発明の一実施形態による呼処理方法のフローチャートである。
【図３】本発明の第１の実施形態による呼処理の概略図である。
【図４】本発明の第２の実施形態による呼処理の概略図である。
【図５】本発明の一実施形態による呼処理システムの概略図である。
【発明を実施するための形態】
【００２０】
本発明の実施形態により、呼処理方法、サービス制御装置、および呼処理システムが提供され、これらは以下の内容を含む。着呼番号と管理番号との対応関係が予め決められており、発呼者による着呼番号への呼要求情報を受信するとすぐに発呼者のサービス認証が行われ、認証後に管理番号を用いて着呼番号への呼が開始され、着呼端末が管理番号を確認し、確認後に発呼者との通信を設定し、これにより発呼者が認証手続きなしに着呼番号へ直接発呼することを防ぐ。
【００２１】
図２に、本発明の一実施形態による呼処理方法のフローチャートを示す。ここには以下のステップが含まれる。
【００２２】
ステップ２０１：発呼者が着呼番号に対してマルチメディアテレビ電話を発呼する。
【００２３】
ステップ２０２：コアネットワーク装置が呼要求にしたがってサービスを分析し、そのサービスがサービス認証を必要とする映像サービスであればサービス制御装置へテレビ電話要求を送信する。
【００２４】
ステップ２０３：発呼者の身元情報および発呼者のサービス情報にしたがい、サービス制御装置が発呼者の個人認証およびサービス認証をそれぞれ行う。
【００２５】
ステップ２０４：発呼者の身元および発呼者のサービスが認証をパスすれば、管理番号を用いて着呼番号への呼が開始される。認証をパスしない場合には発呼ユーザが起動した呼が終了する。
【００２６】
ステップ２０５：着呼番号が所属する端末が管理番号を確認し、確認されれば発呼者との通信を設定する。
【００２７】
管理番号は、サービスに必要な、個々の着呼番号ごとの独自な特定番号セットを指しており、実際の番号との間に１対１の対応関係を持っている。たとえば、着呼番号の実際の番号が１３８６６６６６６６６で、対応する管理番号が２００１２３４である。管理番号はサービス制御装置上に設定される。発呼ユーザは実際の番号と管理番号との間の対応関係を知ることができない。着呼端末は、対応する管理番号で起動された呼のみを受ける。したがって、着呼端末は、発呼番号のサービス認証がパスし、着呼者への呼が管理番号によって行われたときのみ、発呼番号からの呼を受けることができる。
【００２８】
上記の認証は２つの方法で実施可能である。１．まず発呼者の個人認証を行う。個人認証に失敗すれば呼は終了する。個人認証にパスすれば、さらに発呼者のサービス認証を行う。サービス認証に失敗すれば呼は終了する。サービス認証にパスすれば、被呼者への呼が開始される。２．個人認証、サービス認証の両方が行われる。発呼者の個人認証および／または発呼者のサービス認証に失敗すれば呼は終了する。発呼者の個人認証および発呼者のサービス認証の両方がパスしたときのみ被呼者への呼が開始される。
【００２９】
本発明のさらなる理解のために実施形態に関連させて、技術手法の詳細を以下に述べる。
【００３０】
第１の実施形態
【００３１】
現在携帯テレビ電話が広く適用されるようになり、システム装置及び端末が成熟してきた。グローバル３Ｇネットワークの発展に伴い、携帯映像サービスは膨大な発展が見込まれる。将来は、画像、テキスト、データなどの分野のサービスが、伝統的な音声通信サービス分野をはるかに凌ぐであろう。そして、さまざまな移動端末の適用並びにさらに多くのサービスの出現が人々の生活を大いに豊かにするであろう。そうして、人と人の交流のためのフェースツーフェース（Ｆ２Ｆ）の究極のシナリオとして、情景交換が携帯映像端末を用いて実現され、人々は経験や感情を共有し、情報や娯楽を取得してほかの人と交流し、それによって新しいコミュニケーションのやり方およびサービスの楽しみ方を提供される。回線方式のテレビ電話サービスは低コストで展開でき、操作が容易で使用が簡単であり、かつ標準の３Ｇ−３２４Ｍクライアントとも整合するので、運用者は回線方式のテレビ電話サービスをより容易に展開することが可能である。
【００３２】
３Ｇ−３２４Ｍは３ＧＰＰによって制定された最初のマルチメディア端末標準であり、第３世代通信システム（３Ｇ）に適合しており、エラートレラントなビデオ・オーディオコーディングおよびＨ．３２４携帯端末拡張標準とから構成される。３ＧＰＰによって制定された３Ｇ−３２４Ｍ標準は２つのファイル、すなわち回線交換呼の設定に関するＴＳ２６．１１２と、３Ｇ−３２４Ｍの運用プロセスに関するＴＳ２６．１１１と、を含んでいる。
【００３３】
３Ｇ−３２４Ｍの仕組みに基づいて実装される技術手法を以下に述べる。
【００３４】
図３は、本発明の第１の実施形態による呼処理の概略図である。ここで、コアネットワーク装置とはＭＧＷ、ＭＳＣおよびＨＬＲなどのネットワーク装置を指し、前述のサービス制御装置はこの実施形態においては、特にサービス制御ポイントＳＣＰを指す。
【００３５】
（１）ユーザが映像サービスへのアクセス番号をダイアルして、テレビ電話の呼を開始する。
【００３６】
（２）無線コアネットワーク装置がアクセス番号にしたがって解析し、認証を要するサービス属性を有するサービスタイプを取得する。そして呼を進行させるために呼要求をＳＣＰへ中継する、すなわちインテリジェントコールを作動させる。
【００３７】
（３）ＳＣＰは発呼番号およびパスワードにしたがって発呼者の個人認証を行う。
【００３８】
（４）ＳＣＰは、認証をパスすれば被呼者への呼を開始し、認証をパスしなければサービスを終了する。
【００３９】
（５）被呼者の予約によりインテリジェントコールが作動する。すなわち呼要求が被呼者に対して開始されると、呼を進行させるために呼要求がＳＣＰへ中継される。
【００４０】
（６）ＳＣＰは発呼者のサービス認証を行い、被呼者が認可した発呼番号リストを調べ、発呼者が認可番号リストにあるかどうかを判定する。
【００４１】
（７）サービス認証にパスすれば、着呼番号に対応する管理番号が取得されて、この管理番号を用いて着呼番号へのテレビ電話が開始される。認証がパスしない場合は、サービスが終了する。
【００４２】
（８）コアネットワーク装置が着呼端末へテレビ電話を中継する。
【００４３】
（９）着呼番号が属する端末が管理番号を確認し、確認が取れたら通信設定を許可する情報をフィードバックする。
【００４４】
確認のために、着呼端末には受入れ可能な管理番号リストが前もって設定されており、管理番号を伴った呼情報を受信すると、呼情報中の管理番号が事前設定された管理番号に一致するかどうかを判定する。一致する場合には、呼が有効であることを意味しており、端末は通信の設定を許可する情報をフィードバックする。一致しない場合には、呼が無効であることを意味し、端末は呼を終了させる。
【００４５】
（１０）発呼者及び被呼者が映像通信を開始する。
【００４６】
第２の実施形態
【００４７】
図４は、本発明の第２の実施形態による呼処理の概略図である。ここで、コアネットワーク装置とはＭＧＷ、ＭＳＣおよびＨＬＲなどのネットワーク装置を指し、前述のサービス制御装置とは、この実施形態においては、特にオープンサービスゲートウェイＯＳＧを指す。
【００４８】
（１）ユーザが映像サービスへのアクセス番号をダイアルして、テレビ電話の呼を開始する。
【００４９】
（２）無線コアネットワーク装置がアクセス番号にしたがって解析し、認証を要するサービスタイプを有するサービス属性を取得する。そして呼を進行させるために呼要求をＯＳＧへ中継する。
【００５０】
（３）ＯＳＧは、発呼者の個人認証要求をアプリケーションサーバに起こす。
【００５１】
（４）アプリケーションサーバは、発呼番号およびバスワードにしたがって発呼者の認証を行い、認証結果をＯＳＧへ戻す。認証がパスすれば、アプリケーションサーバは認証成功応答を戻し、認証がパスしなければサービスを終了する。
【００５２】
（５）ＯＳＧは被呼者が認可した発呼番号リストを調べ、発呼者が認可番号リストにあるかどうかを判定する。発呼番号が、被呼者へのアクセスを許可した番号リストにあれば、サービス認証はパスし、発呼番号が、被呼者へのアクセスを許可した番号リストになければ、サービス認証はパスせず、サービスが終了する。
【００５３】
（６）ＯＳＧは着呼番号に対応する管理番号を取得し、管理番号を用いて被呼者への呼を開始する。
【００５４】
（７）コアネットワーク装置が着呼端末へのテレビ電話を中継する。
【００５５】
（８）着呼番号が属する端末が管理番号を確認し、確認が取れたら通信設定を許可する情報をフィードバックする。
【００５６】
（９）発呼者及び被呼者が映像通信を開始する。
【００５７】
上記の２つの実施形態からわかるように、この技術手法によりテレビ電話サービス利用のセキュリティが高められ、特に認証されたユーザしかオンサイト情報を得られないようなサービスへの適用が可能である。改善されたセキュリティはテレビ電話の適用拡大に重要な役割を果たす。したがって本発明は高い商業的応用価値を有する。
【００５８】
上記の解決法を、無線ネットワークへ適用した本発明の実施形態についてのみ記述したが、たとえば固定電話ネットワークのような、有線ネットワークへの本発明の実装が除外されるものではないことに注意されたい。
【００５９】
本発明はテレビ電話の分野への応用に限られるものではない。たとえば、高いセキュリティを要求する音声電話への適用もまた可能である。
【００６０】
本発明のサービス制御装置は、着呼番号と管理番号との間の対応関係データを格納するためのデータストレージユニットと、発呼者から開始された被呼者への呼要求の情報を受信すると直ちに発呼者のサービス認証を行うためのサービス認証ユニットと、サービス認証の前に発呼者の個人認証をおこなうための個人認証ユニットと、発呼者がサービス認証をパスした後、着呼番号に対応する管理番号をデータストレージに照会するための管理番号照会ユニットと、管理番号を介して着呼番号への呼を開始するための呼開始ユニットと、を含む。
【００６１】
サービス制御装置は、特にはＳＣＰもしくはＯＳＧである。
【００６２】
図５を参照すると、本発明の実施形態にしたがう呼処理システムの概略図が示され、このシステムがサービス制御装置５００および着呼端末５１０を含んでいる。
【００６３】
特に、サービス制御装置５００は、発呼者から開始された着呼番号への呼要求の情報を受信後直ちに、発呼者のサービス認証を行うためのサービス認証ユニット５０１と、サービス認証の前に発呼者の個人認証をおこなうための個人認証ユニット５０５と、着呼番号と管理番号との間の対応関係データを格納するためのデータストレージユニット５０２と、発呼者がサービス認証をパスした後、着呼番号に対応する管理番号をデータストレージ５０２に照会するための管理番号照会ユニット５０３と、管理番号を用いて着呼番号への呼を開始するための呼開始ユニット５０４と、を含む。
【００６４】
着呼端末５１０は、管理番号を伴う呼情報を受信すると管理番号を確認し、確認が取れた後に通信設定を許可する情報をフィードバックする。
【００６５】
サービス制御装置５００はＳＣＰであるか、もしくはＯＳＧとアプリケーションサーバである。
【００６６】
このシステムは以下のようなフローで作動する。サービス制御装置５００の個人認証ユニット５０５が、発呼者から開始された着呼番号への呼要求の情報を受信したのち、発呼者の個人認証を行う。サービス認証ユニット５０１が、個人認証がパスした後に発呼者のサービス認証を行う。管理番号照会ユニット５０３が、着呼番号に対応する管理番号をデータストレージユニット５０２に照会し、管理番号を呼開始ユニット５０４へ送信する。呼開始ユニット５０４は、管理番号を用いて着呼番号へ発呼する。着呼端末５１０は管理番号を確認し、確認が取れたら通信設定を許可する情報をフィードバックする。発呼者及び被呼者が通信を開始する。
【００６７】
以上、本発明による呼の処理方法、サービス制御装置、および呼の処理システムを詳細に説明した。本発明の原理および実施形態を特定の実施例によって説明した。実施形態の説明は単に本発明の方法および中核となる思想を理解するためのものである。当業者であれば本発明の趣旨を踏まえて、実施形態および適用範囲に変更を加えることは可能である。したがって、本説明は本発明を制限するものと考えるべきではない。
【図１】
2010511311.tif 000003
【図２】
2010511311.tif 000004
【図３】
2010511311.tif 000005
【図４】
2010511311.tif 000006
【図５】
2010511311.tif 000007
【手続補正書】
【提出日】平成21年7月23日(2009.7.23)
【手続補正１】
【補正対象書類名】明細書
【補正対象項目名】全文
【補正方法】変更
【補正の内容】
【発明の詳細な説明】
【技術分野】
【０００１】
本発明は呼処理技術に関し、特に呼処理方法、サービス制御装置、および呼処理システムに関する。
【背景技術】
【０００２】
通信ネットワークの発展に伴い、通信ネットワークを介して大量の映像サービスを提供することは必然の趨勢となってきており、即時で生の情報のやり取りが人々の生活を変えつつある。通信の内容及び形式に関する要求は日増しに高くなってきており、旧来の音声通信方式ではもはや人の満足は得られない。生のテレビ電話サービスがまさに望まれている。
【０００３】
携帯テレビ電話は、移動通信領域における生でかつ大量のマルチメディアの映像電話を提供し、３Ｇの“キラーアプリケーション”と目されている。そして携帯テレビ電話サービスが３Ｇ展開の主要な駆動力となっている。第３世代パートナーシッププロジェクト３ＧＰＰのＲ９９およびそれ以降のバージョンが、回線方式に基づく映像電話サービス、すなわち、Ｈ３２４プロトコルの第３世代モバイルネットワーク版である、第３世代−Ｈ３２４モバイル：３Ｇ−３２４Ｍ、を定義している。目下の処、３ＧＰＰは回線方式に基づいてテレビ電話サービスを定義している。
【０００４】
図１を参照すると、既存の移動通信ネットワークの概略図が示されている。３ＧＰＰの定義によると、以下のような基本的な流れに沿ってユーザが同一オフィス内の別のユーザへの呼を開始する。
【０００５】
（１）発呼ユーザの設備１０１が、移動交換局ＭＳＣ１０７に呼要求を開始する。
【０００６】
（２）ネットワークへの端末のアクセス可否をチェックするために、ＭＳＣ１０７が認証プロセスを開始する。このプロセスでは、ＭＳＣがホームロケーションレジスタＨＬＲ１０８から認証セットを取得する。ネットワークへのアクセス許可に関する個人認証がパスするとフローは次へ進み、パスしない場合は呼が終了する。
【０００７】
（３）個人認証にパスし、サービス要求受理メッセージを受信した後、発呼ユーザの設備１０１が呼設定メッセージをＭＳＣ１０７へ送信する。呼設定メッセージを受信すると、ＭＳＣ１０７は呼処理メッセージを発呼者へ戻す。
【０００８】
（４）発呼側の設備として無線ネットワーク制御装置ＲＮＣ１０３、メディアゲートウェイＭＧＷ１０５、およびＭＳＣ１０７がアクセス側のベアラ（ｂｅａｒｅｒ）リソースの設定を開始する。ＭＳＣ１０７がＨＬＲ１０８にルーティング情報を照会し、ＨＬＲ１０８がビジターロケーションレジスタＶＬＲ１０６からローミング番号を取得し、呼データを取得後、ＭＳＣ１０７がＶＬＲ１０６を始動して発呼番号による被呼者への呼出プロセスを開始する。
【０００９】
（５）被呼者からの呼出応答メッセージを受けると、ＭＳＣ１０７が、着呼側の無線ネットワーク制御装置ＲＮＣ１０４を介して着呼ユーザ設備１０２へ呼設定メッセージを送信する。
【００１０】
（６）ＭＳＣ１０７は被呼者が電話機を取るのを待ち、電話機が取られるのと同時に発呼ユーザの設備１０１へ開通メッセージを送信する。
【００１１】
（７）発呼ユーザ設備１０１は、着呼ユーザ設備１０２との映像接続を設定する。
【発明の概要】
【発明が解決しようとする課題】
【００１２】
相手の映像と音声が直接得られるテレビ電話サービスに要求されるのは、着呼ユーザに係わるプライバシおよび情報の安全が確保されることである。上述の呼の流れからわかるように、発呼者の個人認証がパスした後でも、後続の呼の流れはいまだに発呼番号によって進められる。そして、サービス認証が得られていない発呼番号が着呼用の実際の番号を取得し、その結果着呼番号を直接呼び出すことができるという抜け穴が存在しうる。この抜け穴によって、着呼者情報の安全に係わる隠された危険性が生じる。
【００１３】
本発明の実施形態によれば、管理番号で被呼者への呼を開始でき、サービスの安全向上が図れる、呼の処理方法、サービス制御装置、および呼の処理システムが提供される。
【課題を解決するための手段】
【００１４】
上記を考慮して、本発明は以下の技術手法により実現される。
【００１５】
呼の処理方法が、発呼者からの着呼番号を含む呼要求を受信するステップと、発呼者を認証するステップと、発呼者が認証をパスした後に着呼番号と管理番号との間の事前設定された対応関係にしたがって着呼番号に対応する管理番号を取得するステップと、管理番号を用いて着呼番号への通話を開始するステップと、を含む。
【００１６】
サービス制御装置が、着呼番号と管理番号との間の対応関係データを格納するためのデータストレージユニットと、発呼者からの着呼番号を含む呼要求を受信し、発呼者のサービス認証を行うためのサービス認証ユニットと、発呼者がサービス認証をパスした後、着呼番号に対応する管理番号をデータストレージに照会するための管理番号照会ユニットと、管理番号を用いて着呼番号への呼を開始するための呼開始ユニットと、を含む。
【００１７】
呼処理システムが、発呼者からの着呼番号を含む呼要求を受信し、発呼者を認証し、発呼者が認証された後に着呼番号と管理番号との間に事前設定された対応関係にしたがって着呼番号に対応する管理番号を取得し、管理番号を用いて着呼番号への呼を開始するためのサービス制御装置と、管理番号を確認し、確認終了後に発呼者との通信を設定するための着呼端末と、を含む。
【００１８】
本発明における上記の技術手法によれば、着呼番号と管理番号との対応関係が事前設定されているので、発呼者による着呼番号への呼要求に関する情報を受信すると直ちに、発呼者のサービス認証が行われ、認証をパスすると、管理番号を用いて着呼番号への呼が開始され、着呼番号が所属する端末が管理番号を確認し、確認終了後に発呼者との通信を設定する。着呼端末は、管理番号から送られる呼情報を受信し、呼情報を受信するとすぐに受信した管理番号を確認するだけであるから、承認手続きなしに発呼者が着呼番号へ直接発呼することを防止し、着呼ユーザのプライバシ情報を保護し、サービスの安全を向上することが可能である。
【図面の簡単な説明】
【００１９】
【図１】既存の移動通信ネットワークの概略図である。
【図２】本発明の一実施形態による呼処理方法のフローチャートである。
【図３】本発明の１つの実施形態による呼処理の概略図である。
【図４】本発明の他の実施形態による呼処理の概略図である。
【図５】本発明の一実施形態による呼処理システムの概略図である。
【発明を実施するための形態】
【００２０】
本発明の実施形態により、呼処理方法、サービス制御装置、および呼処理システムが提供され、これらは以下の内容を含む。着呼番号と管理番号との対応関係が予め決められており、発呼者による着呼番号への呼要求情報を受信するとすぐに発呼者のサービス認証が行われ、認証後に管理番号を用いて着呼番号への呼が開始され、着呼端末が管理番号を確認し、確認後に発呼者との通信を設定し、これにより発呼者が認証手続きなしに着呼番号へ直接発呼することを防ぐ。
【００２１】
図２に、本発明の一実施形態による呼処理方法のフローチャートを示す。ここには以下のステップが含まれる。
【００２２】
ステップ２０１：発呼者が着呼番号に対してマルチメディアテレビ電話を発呼する。
【００２３】
ステップ２０２：コアネットワーク装置が呼要求にしたがってサービスを分析し、そのサービスがサービス認証を必要とする映像サービスであればサービス制御装置へテレビ電話要求を送信する。
【００２４】
ステップ２０３：発呼者の身元情報および発呼者のサービス情報にしたがい、サービス制御装置が発呼者の個人認証およびサービス認証をそれぞれ行う。
【００２５】
ステップ２０４：発呼者の身元および発呼者のサービスが認証をパスすれば、管理番号を用いて着呼番号への呼が開始される。認証をパスしない場合には発呼ユーザが起動した呼が終了する。
【００２６】
ステップ２０５：着呼番号が所属する端末が管理番号を確認し、確認されれば発呼者との通信を設定する。
【００２７】
管理番号は、サービスに必要な、個々の着呼番号ごとの独自な特定番号セットを指しており、実際の番号との間に１対１の対応関係を持っている。たとえば、着呼番号の実際の番号が１３８６６６６６６６６で、対応する管理番号が２００１２３４である。管理番号はサービス制御装置上に設定される。発呼ユーザは実際の番号と管理番号との間の対応関係を知ることができない。着呼端末は、対応する管理番号で起動された呼のみを受ける。したがって、着呼端末は、発呼番号のサービス認証がパスし、着呼者への呼が管理番号によって行われたときのみ、発呼番号からの呼を受けることができる。
【００２８】
上記の認証は２つの方法で実施可能である。１．まず発呼者の個人認証を行う。個人認証に失敗すれば呼は終了する。個人認証にパスすれば、さらに発呼者のサービス認証を行う。サービス認証に失敗すれば呼は終了する。サービス認証にパスすれば、被呼者への呼が開始される。２．個人認証、サービス認証の両方が行われる。発呼者の個人認証および／または発呼者のサービス認証に失敗すれば呼は終了する。発呼者の個人認証および発呼者のサービス認証の両方がパスしたときのみ被呼者への呼が開始される。
【００２９】
本発明のさらなる理解のために実施形態に関連させて、技術手法の詳細を以下に述べる。
【００３０】
第１の実施形態
【００３１】
現在携帯テレビ電話が広く適用されるようになり、システム装置及び端末が成熟してきた。グローバル３Ｇネットワークの発展に伴い、携帯映像サービスは膨大な発展が見込まれる。将来は、画像、テキスト、データなどの分野のサービスが、伝統的な音声通信サービス分野をはるかに凌ぐであろう。そして、さまざまな移動端末の適用並びにさらに多くのサービスの出現が人々の生活を大いに豊かにするであろう。そうして、人と人の交流のためのフェースツーフェース（Ｆ２Ｆ）の究極のシナリオとして、情景交換が携帯映像端末を用いて実現され、人々は経験や感情を共有し、情報や娯楽を取得してほかの人と交流し、それによって新しいコミュニケーションのやり方およびサービスの楽しみ方を提供される。回線方式のテレビ電話サービスは低コストで展開でき、操作が容易で使用が簡単であり、かつ標準の３Ｇ−３２４Ｍクライアントとも整合するので、運用者は回線方式のテレビ電話サービスをより容易に展開することが可能である。
【００３２】
３Ｇ−３２４Ｍは３ＧＰＰによって制定された最初のマルチメディア端末標準であり、第３世代通信システム（３Ｇ）に適合しており、エラートレラントなビデオ・オーディオコーディングおよびＨ．３２４携帯端末拡張標準とから構成される。３ＧＰＰによって制定された３Ｇ−３２４Ｍ標準は２つのファイル、すなわち回線交換呼の設定に関するＴＳ２６．１１２と、３Ｇ−３２４Ｍの運用プロセスに関するＴＳ２６．１１１と、を含んでいる。
【００３３】
３Ｇ−３２４Ｍの仕組みに基づいて実装される技術手法を以下に述べる。
【００３４】
図３は、本発明の第１の実施形態による呼処理の概略図である。ここで、コアネットワーク装置とはＭＧＷ、ＭＳＣおよびＨＬＲなどのネットワーク装置を指し、前述のサービス制御装置はこの実施形態においては、特にサービス制御ポイントＳＣＰを指す。
【００３５】
（１）ユーザが映像サービスへのアクセス番号をダイアルして、テレビ電話の呼を開始する。
【００３６】
（２）無線コアネットワーク装置がアクセス番号にしたがって解析し、認証を要するサービス属性を有するサービスタイプを取得する。そして呼を進行させるために呼要求をＳＣＰへ中継する、すなわちインテリジェントコールを作動させる。
【００３７】
（３）ＳＣＰは発呼番号およびパスワードにしたがって発呼者の個人認証を行う。
【００３８】
（４）ＳＣＰは、認証をパスすれば被呼者への呼を開始し、認証をパスしなければサービスを終了する。
【００３９】
（５）被呼者の予約によりインテリジェントコールが作動する。すなわち呼要求が被呼者に対して開始されると、呼を進行させるために呼要求がＳＣＰへ中継される。
【００４０】
（６）ＳＣＰは発呼者のサービス認証を行い、被呼者が認可した発呼番号リストを調べ、発呼者が認可番号リストにあるかどうかを判定する。
【００４１】
（７）サービス認証にパスすれば、着呼番号に対応する管理番号が取得されて、この管理番号を用いて着呼番号へのテレビ電話が開始される。認証がパスしない場合は、サービスが終了する。
【００４２】
（８）コアネットワーク装置が着呼端末へテレビ電話を中継する。
【００４３】
（９）着呼番号が属する端末が管理番号を確認し、確認が取れたら通信設定を許可する情報をフィードバックする。
【００４４】
確認のために、着呼端末には受入れ可能な管理番号リストが前もって設定されており、管理番号を伴った呼情報を受信すると、呼情報中の管理番号が事前設定された管理番号に一致するかどうかを判定する。一致する場合には、呼が有効であることを意味しており、端末は通信の設定を許可する情報をフィードバックする。一致しない場合には、呼が無効であることを意味し、端末は呼を終了させる。
【００４５】
（１０）発呼者及び被呼者が映像通信を開始する。
【００４６】
第２の実施形態
【００４７】
図４は、本発明の第２の実施形態による呼処理の概略図である。ここで、コアネットワーク装置とはＭＧＷ、ＭＳＣおよびＨＬＲなどのネットワーク装置を指し、前述のサービス制御装置とは、この実施形態においては、特にオープンサービスゲートウェイＯＳＧを指す。
【００４８】
（１）ユーザが映像サービスへのアクセス番号をダイアルして、テレビ電話の呼を開始する。
【００４９】
（２）無線コアネットワーク装置がアクセス番号にしたがって解析し、認証を要するサービスタイプを有するサービス属性を取得する。そして呼を進行させるために呼要求をＯＳＧへ中継する。
【００５０】
（３）ＯＳＧは、発呼者の個人認証要求をアプリケーションサーバに起こす。
【００５１】
（４）アプリケーションサーバは、発呼番号およびバスワードにしたがって発呼者の認証を行い、認証結果をＯＳＧへ戻す。認証がパスすれば、アプリケーションサーバは認証成功応答を戻し、認証がパスしなければサービスを終了する。
【００５２】
（５）ＯＳＧは被呼者が認可した発呼番号リストを調べ、発呼者が認可番号リストにあるかどうかを判定する。発呼番号が、被呼者へのアクセスを許可した番号リストにあれば、サービス認証はパスし、発呼番号が、被呼者へのアクセスを許可した番号リストになければ、サービス認証はパスせず、サービスが終了する。
【００５３】
（６）ＯＳＧは着呼番号に対応する管理番号を取得し、管理番号を用いて被呼者への呼を開始する。
【００５４】
（７）コアネットワーク装置が着呼端末へのテレビ電話を中継する。
【００５５】
（８）着呼番号が属する端末が管理番号を確認し、確認が取れたら通信設定を許可する情報をフィードバックする。
【００５６】
（９）発呼者及び被呼者が映像通信を開始する。
【００５７】
上記の２つの実施形態からわかるように、この技術手法によりテレビ電話サービス利用のセキュリティが高められ、特に認証されたユーザしかオンサイト情報を得られないようなサービスへの適用が可能である。改善されたセキュリティはテレビ電話の適用拡大に重要な役割を果たす。したがって本発明は高い商業的応用価値を有する。
【００５８】
上記の解決法を、無線ネットワークへ適用した本発明の実施形態についてのみ記述したが、たとえば固定電話ネットワークのような、有線ネットワークへの本発明の実装が除外されるものではないことに注意されたい。
【００５９】
本発明はテレビ電話の分野への応用に限られるものではない。たとえば、高いセキュリティを要求する音声電話への適用もまた可能である。
【００６０】
本発明のサービス制御装置は、着呼番号と管理番号との間の対応関係データを格納するためのデータストレージユニットと、発呼者から開始された被呼者への呼要求の情報を受信すると直ちに発呼者のサービス認証を行うためのサービス認証ユニットと、サービス認証の前に発呼者の個人認証をおこなうための個人認証ユニットと、発呼者がサービス認証をパスした後、着呼番号に対応する管理番号をデータストレージに照会するための管理番号照会ユニットと、管理番号を介して着呼番号への呼を開始するための呼開始ユニットと、を含む。
【００６１】
サービス制御装置は、特にはＳＣＰもしくはＯＳＧである。
【００６２】
図５を参照すると、本発明の実施形態にしたがう呼処理システムの概略図が示され、このシステムがサービス制御装置５００および着呼端末５１０を含んでいる。
【００６３】
特に、サービス制御装置５００は、発呼者から開始された着呼番号への呼要求の情報を受信後直ちに、発呼者のサービス認証を行うためのサービス認証ユニット５０１と、サービス認証の前に発呼者の個人認証をおこなうための個人認証ユニット５０５と、着呼番号と管理番号との間の対応関係データを格納するためのデータストレージユニット５０２と、発呼者がサービス認証をパスした後、着呼番号に対応する管理番号をデータストレージ５０２に照会するための管理番号照会ユニット５０３と、管理番号を用いて着呼番号への呼を開始するための呼開始ユニット５０４と、を含む。
【００６４】
着呼端末５１０は、管理番号を伴う呼情報を受信すると管理番号を確認し、確認が取れた後に通信設定を許可する情報をフィードバックする。
【００６５】
サービス制御装置５００はＳＣＰであるか、もしくはＯＳＧとアプリケーションサーバである。
【００６６】
このシステムは以下のようなフローで作動する。サービス制御装置５００の個人認証ユニット５０５が、発呼者から開始された着呼番号への呼要求の情報を受信したのち、発呼者の個人認証を行う。サービス認証ユニット５０１が、個人認証がパスした後に発呼者のサービス認証を行う。管理番号照会ユニット５０３が、着呼番号に対応する管理番号をデータストレージユニット５０２に照会し、管理番号を呼開始ユニット５０４へ送信する。呼開始ユニット５０４は、管理番号を用いて着呼番号へ発呼する。着呼端末５１０は管理番号を確認し、確認が取れたら通信設定を許可する情報をフィードバックする。発呼者及び被呼者が通信を開始する。
【００６７】
以上、本発明による呼の処理方法、サービス制御装置、および呼の処理システムを詳細に説明した。本発明の原理および実施形態を特定の実施例によって説明した。実施形態の説明は単に本発明の方法および中核となる思想を理解するためのものである。当業者であれば本発明の趣旨を踏まえて、実施形態および適用範囲に変更を加えることは可能である。したがって、本説明は本発明を制限するものと考えるべきではない。
【手続補正２】
【補正対象書類名】特許請求の範囲
【補正対象項目名】全文
【補正方法】変更
【補正の内容】
【特許請求の範囲】
【請求項１】
呼の処理方法であって、
発呼者からの着呼番号を含む呼要求を受信するステップと、
前記発呼者を認証するステップと、
前記発呼者の認証がパスした後に、前記着呼番号との間に事前設定された対応関係にしたがって前記着呼番号に対応する管理番号を入手するステップと、
前記管理番号を用いて前記着呼番号への呼を開始するステップと、
を含む呼の処理方法。
【請求項２】
前記呼要求が、マルチメディアテレビ電話の呼要求であることを特徴とする請求項１に記載の方法。
【請求項３】
前記認証が、前記発呼者の個人認証とサービス認証とからなり、前記発呼者の個人認証とサービス認証とを実行する前記プロセスが、
初めに前記発呼者の個人認証を行い、個人認証をパスしたのちに、次いで前記発呼者のサービス認証を行うステップ、もしくは、
前記発呼者の個人認証とサービス認証とを同時に実行するステップ、
のいずれかを備えることを特徴とする請求項１又は２に記載の方法。
【請求項４】
前記管理番号のついた前記呼を受信すると直ちに、前記着呼番号の所属する端末により前記管理番号を確認するステップと、確認がパスした後に前記発呼者との通信を設定するステップと、をさらに含むことを特徴とする請求項１に記載の方法。
【請求項５】
サービス制御装置であって、
発呼者からの前記着呼番号を含む呼要求を受信し、前記発呼者のサービス認証を行うためのサービス認証ユニットと、
前記発呼者がサービス認証をパスした後、前記着呼番号に対応する管理番号をデータストレージユニットに照会するための管理番号照会ユニットと、
前記管理番号を用いて前記着呼番号への呼を開始するための呼開始ユニットと、
を含むサービス制御装置。
【請求項６】
データストレージユニットが、着呼番号と管理番号との間の対応関係データを格納する請求項５に記載のサービス制御装置。
【請求項７】
サービス認証の前に前記発呼者の個人認証を行うための個人認証ユニットをさらに含むことを特徴とする請求項５に記載のサービス制御装置。
【請求項８】
前記サービス制御装置が、サービスコントロールポイントもしくはオープンサービスゲートウェイであることを特徴とする請求項５又は７に記載のサービス制御装置。
【請求項９】
着呼端末と通信するサービス制御装置を備える呼処理システムであって、
前記サービス制御装置が、さらに、発呼者からの着呼番号を含む呼要求を受信し、前記発呼者を認証し、前記発呼者が認証された後に前記着呼番号と前記管理番号との間の事前設定された対応関係にしたがって前記着呼番号に対応する管理番号を取得し、前記管理番号を用いて前記着呼番号への呼を開始し、
前記着呼端末が、前記管理番号を確認し、確認にパスした後に前記発呼者との通信を設定する、
を含む呼処理システム。
【請求項１０】
前記サービス制御装置が、
前記着呼番号と前記管理番号との間の前記対応関係データを格納するためのデータストレージユニットと、
前記発呼者からの前記着呼番号を含む前記呼要求を受信し、前記発呼者のサービス認証を行うためのサービス認証ユニットと、
前記発呼者がサービス認証をパスした後、前記着呼番号に対応する前記管理番号を前記データストレージユニットに照会するための管理番号照会ユニットと、
前記管理番号を用いて前記着呼番号への呼を開始するための呼開始ユニットと、
を含むことを特徴とする請求項９に記載の呼処理システム。
【請求項１１】
前記サービス制御装置が、サービス認証の前に前記発呼者の個人認証を行うための個人認証ユニットをさらに含むことを特徴とする請求項１０に記載の呼処理システム。
【請求項１２】
前記サービス制御装置がサービス制御ポイントであるか、もしくは前記サービス制御装置がオープンサービスゲートウェイかつアプリケーションサーバであることを特徴とする請求項９に記載の呼処理システム。
【国際調査報告】
2010511311.tif 000008
2010511311.tif 000009
2010511311.tif 000010
2010511311.tif 000011
2010511311.tif 000012
2010511311.tif 000013
2010511311.tif 000014